(57)【特許請求の範囲】
【請求項１】
地中に固定された鋼材から成るパイプ状の支柱芯材とプラスチック材料を含む複合木材から成る支柱外材とから街路灯等のように２ｍ以上の地上高さを有するポールを構成し、このポールの上端に片持梁式に照明器具を取付けた照明装置において、
ポール下端側においてのみ支柱芯材と支柱外材とを地中に埋設された部分で連結し、
支柱芯材を支柱外材で覆って連結個所を除く両部材間に隙間を形成して互いにフリーとし、
この支柱外材を熱可塑性のプラスチック材料とセルロース系の破砕物からなる木粉を成形素材として中空樹脂成形材を押出し成形して得られたもので構成し、
前記支柱芯材と支柱外材との上端面に蓋部材をかぶせ、
この蓋部材は連結用パイプの中間部に固着されて連結具を構成し、
ポール上端に取付けられた連結具に照明器具の取付用脚部を固定し、
前記支柱外材の表面温度が６０℃を超えたときの支柱外材の伸びは支柱芯材の伸びの１．５倍以上であることを特徴とする照明装置。
【請求項２】
前記連結具の蓋部材の短筒状の側面部をポールの上端にかぶせることにより、連結用パイプの下半分を支柱芯材へ挿入し、上半分を照明器具の取付用脚部へ挿入したことを特徴とする請求項１に記載の照明装置。
【請求項３】
前記照明器具の取付用脚部と連結用パイプとを止着具で止着したことを特徴とする請求項２に記載の照明装置。
【請求項４】
地中に固定された鋼材から成るパイプ状の支柱芯材とプラスチック材料を含む複合木材から成る支柱外材とから街路灯等のように２ｍ以上の地上高さを有するポールを構成し、このポールの上端に真っすぐ上方に延びる照明器具を取付けた照明装置において、
ポール下端側においてのみ支柱芯材と支柱外材とを地中に埋設された部分で連結し、
支柱芯材を支柱外材で覆って連結個所を除く両部材間に隙間を形成して互いにフリーとし、
この支柱外材を熱可塑性のプラスチック材料とセルロース系の破砕物からなる木粉を成形素材として中空樹脂成形材を押出し成形して得られたもので構成し、
前記照明器具は支柱外材上端から上方に延びる筒状の透光材料から成るカバーを備え、
このカバー内部に支柱芯材に取付けられたランプを設け、
前記支柱外材の表面温度が６０℃を超えたときの支柱外材の伸びは支柱芯材の伸びの１．５倍以上であることを特徴とする照明装置。
【請求項５】
地中に固定された鋼材から成るパイプ状の支柱芯材とプラスチック材料を含む複合木材から成る支柱外材とから街路灯等のように２ｍ以上の地上高さを有するポールを構成し、このポールを所定間隔をあけて２本立設し、これら２本のポール間に照明器具を取付けた照明装置において、
支柱外材を熱可塑性のプラスチック材料とセルロース系の破砕物からなる木粉を成形素材として中空樹脂成形材を押出し成形して得られたもので構成し、
照明器具と２本のポールとをボルト等の止具で連結し、
この止具で各ポールの支柱芯材及び支柱外材の一側面のみの連結を図り、
支柱芯材を支柱外材で覆って連結個所を除く両部材間に隙間を形成して互いにフリーとし、
前記支柱外材の表面温度が６０℃を超えたときの支柱外材の伸びは支柱芯材の伸びの１．５倍以上であることを特徴とする照明装置。
【請求項６】
前記照明器具はボックスを備え、このボックスの両側面を２本のポールに止具で取付け、これら止具はそれぞれのポールの支柱芯材と支柱外材の連結を図ることを特徴とする請求項５に記載の照明装置。
【発明の詳細な説明】
【０００１】
【発明の属する技術分野】
この発明は、地中等に固定された鋼材から成る支柱芯材とプラスチック材料を含む複合木材から成る支柱外材とを組合せたポールを備えた照明装置に関する。
【０００２】
【従来の技術】
従来のポールに照明器具を取付けた街路灯のような照明装置は、一定以上の高さとなるために、強風により倒れたり曲がったりすることがないように所定以上の強度が要求されるとともに、気候の変化に対する耐久性も要求され、さらには照明の機能とか設置場所とのマッチングも考慮されなければならないものである。
【０００３】
強度的な面を重視すると、鋼材のパイプを用い、その下端を地中にしっかりと固定したものが広く用いられている。また、デザイン面を考慮した場合でも、ポール自体は鋼材の種類を変えたり、塗装で装飾性を出したりする程度であり、むしろポールに取付ける照明器具のデザインに工夫を施したものが多かった。
【０００４】
【発明が解決しようとする課題】
従来の照明装置におけるポールの外観は、強度優先のためにパイプ状の鋼材を用いたものが大半であり、硬質で冷たいイメージがあった。
【０００５】
そこで、この発明は、木の温もりを感じさせるプラスチック材料を含む複合木材をポールの外側に用い、内側に鋼材を用いて強度的にも十分なものとし、かつ異種材料のコンポジットによる不都合も解消し、デザイン的にも優れた照明装置を提供することを目的とする。
【０００６】
【課題を解決するための手段】
上述の目的を達成するため、この発明は、地中に固定された鋼材から成るパイプ状の支柱芯材とプラスチック材料を含む複合木材から成る支柱外材とから街路灯等のように２ｍ以上の地上高さを有するポールを構成し、このポールの上端に片持梁式に照明器具を取付けた照明装置において、ポール下端側においてのみ支柱芯材と支柱外材とを地中に埋設された部分で連結し、支柱芯材を支柱外材で覆って連結個所を除く両部材間に隙間を形成して互いにフリーとし、この支柱外材を熱可塑性のプラスチック材料とセルロース系の破砕物からなる木粉を成形素材として中空樹脂成形材を押出し成形して得られたもので構成し、前記支柱芯材と支柱外材との上端面に蓋部材をかぶせ、この蓋部材は連結用パイプの中間部に固着されて連結具を構成し、ポール上端に取付けられた連結具に照明器具の取付用脚部を固定し、前記支柱外材の表面温度が６０℃を超えたときの支柱外材の伸びは支柱芯材の伸びの１．５倍以上であるように構成した。また、地中に固定された鋼材から成るパイプ状の支柱芯材とプラスチック材料を含む複合木材から成る支柱外材とから街路灯等のように２ｍ以上の地上高さを有するポールを構成し、このポールの上端に真っすぐ上方に延びる照明器具を取付けた照明装置において、ポール下端側においてのみ支柱芯材と支柱外材とを地中に埋設された部分で連結し、支柱芯材を支柱外材で覆って連結個所を除く両部材間に隙間を形成して互いにフリーとし、この支柱外材を熱可塑性のプラスチック材料とセルロース系の破砕物からなる木粉を成形素材として中空樹脂成形材を押出し成形して得られたもので構成し、前記照明器具は支柱外材上端から上方に延びる筒状の透光材料から成るカバーを備え、このカバー内部に支柱芯材に取付けられたランプを設け、前記支柱外材の表面温度が６０℃を超えたときの支柱外材の伸びは支柱芯材の伸びの１．５倍以上であるように構成した。さらに、地中に固定された鋼材から成るパイプ状の支柱芯材とプラスチック材料を含む複合木材から成る支柱外材とから街路灯等のように２ｍ以上の地上高さを有するポールを構成し、このポールを所定間隔をあけて２本立設し、これら２本のポール間に照明器具を取付けた照明装置において、支柱外材を熱可塑性のプラスチック材料とセルロース系の破砕物からなる木粉を成形素材として中空樹脂成形材を押出し成形して得られたもので構成し、照明器具と２本のポールとをボルト等の止具で連結し、この止具で各ポールの支柱芯材及び支柱外材の一側面のみの連結を図り、支柱芯材を支柱外材で覆って連結個所を除く両部材間に隙間を形成して互いにフリーとし、前記支柱外材の表面温度が６０℃を超えたときの支柱外材の伸びは支柱芯材の伸びの１．５倍以上であるように構成した。
【０００７】
【発明の実施の形態】
以下にこの発明の好適な実施例を図面に基づいて説明する。
【０００８】
図１は、ポール１の地中埋設部分を含む下端側を示す正面図であり、水平断面において一辺が１００mmの正方形状の鋼材（角パイプ）から成る支柱芯材２の周囲を覆うようにプラスチック材料を含む複合木材から成る支柱外材３を設けてある。この支柱外材３は、水平断面にしたときの一辺が１３０mmのほぼ正方形をした中空樹脂成形材である。この実施例では、支柱芯材１を地中に７００mm以上埋め込み、アンカーパイプ６を下端に取付け、支柱外材３を地中に２００mm埋め込み、両部材２，３を地中埋め込み個所でボルト等の止具７で連結している。
【０００９】
図２は、図１のＡ−Ａ線断面図であり、支柱外材３の四辺の各中央部分からボルト等の止具７を支柱芯材２にねじ込んで両者を連結している。
【００１０】
図３は、ポール１の上端側のみを示す半断面図であり、図１に示すポール１の上方部分を示し、このポール１の上端に片持梁式（キャンチレバー）に照明器具１０を取付けてある。この照明器具１０をポール１の上端に取付けるには、連結具２０を用いる。この連結具２０は、連結用パイプ２１の中間部に外方へ鍔状に延びた蓋部材２２を溶接等の手段により固着したものである。この蓋部材２２より下方の連結用パイプ２１（下半分）が支柱芯材２へ挿入され、上方の連結用パイプ２１（上半分）が照明器具１０の取付用脚部１１の中空部内へ挿入され、取付用脚部１１の下端側でこの脚部１１は連結用パイプ２１に止着具２３で止着されるようになっている。前記蓋部材２２の内側にはパッキンゴム２４を装着してあり、このパッキンゴム２４がポール１の上端面（支柱芯材２と支柱外材３の夫々の上端面でもある）に密接する。この蓋部材２２の短筒状の側面部２２Ａはポール１の上端にかぶさる。さらに、連結用パイプ２１の支柱芯材２に挿入される側（下半分）は、支柱芯材２の内周面に当接するようにゴム等の弾性部材２５を設けてある。
【００１１】
前記照明器具１０は、取付用脚部１１から水平方向に延びたアーム１２の先に光源部１３を設けてある。この光源部１３は、ランプ１４を反射板１５で取囲み、下面側に透光性のカバー１６を設けてある。
【００１２】
図４は、図３のＢ−Ｂ線断面図であり、支柱芯材２と支柱外材３との関係を示す。すなわち、支柱芯材２と支柱外材３との間にはわずかな隙間４が形成され、下端部においてのみ両者は連結され、その余の部分では、互いにフリーである。
【００１３】
前記ポール１の下端側で地中に固着される支柱芯材２の下端部には、アンカーパイプ６の他にも図５に示すようにリブ付きのアンカープレート５を支柱芯材２の下端に溶接等により固着してもよい。この例では、地上高さを４１３０mm、地中埋設部分の高さを１５０mmとした。ポール１自体の地上高さは、３９２７．７mmとした。
【００１４】
前記支柱芯材２の素材としては、ＪＩＳの鋼材の種類と記号で示すと、ＳＳ４００、ＳＴＫ４００、ＳＴＫｒ４００を好適に用いることができる。ここで、「ＳＳ４００」は、「スチール・ストラクチュアル」で最低引張強さ４００Kgｆ／mm２を示している。このような鋼材から形成された支柱芯材２の線膨張係数は、「０．００００１１２／℃」であり、温度上昇値２０℃、鋼材長さ４，０００mmの場合の伸びは、
0.0000112×20（℃）×4,000（mm）＝0.896（mm）となる。
【００１５】
前記支柱外材３の素材としては、木粉を６０重量％、ポリエチレンあるいはポリプロピレンを４０重量％混合し、プラスチック材料を溶融させ、押出機で押出し成形したものが好適に使用できる。このような素材（複合木材）から成る支柱外材３の場合、長さ１ｍのもので温度が１℃上昇すると０．０２９mm伸びるものである。仮りに長さ４ｍ（４，０００mm）で、温度上昇値２０℃の場合のこの支柱外材３の伸びは、２．３２mmとなり、上述した支柱芯材２の約２．６倍となる。２ｍ以上の地上高さのポール１を上述したような鋼材と複合木材との組合せで構成したとき、両者を高さ方向の複数個所（例えば、上端、中間、下端の３ヶ所）で連結固定してしまうと、温度変化により両者の伸び方が異なるため、複合木材から成る支柱外材３に亀裂が入ったり、変形が生じたりするおそれがある。しかしながら、上述した図１に示す実施例のようにポール１の下端側でのみ、支柱芯材２と支柱外材３との連結を図ることにより、両者の線膨張係数の違いにより、伸びの大きい支柱外材３の変形等は防止できる。支柱外材３の表面温度がほぼ６０℃を超えたときの支柱外材３の伸びは、支柱芯材２の伸びの１．５倍以上である場合に、ポール１の地上高さが２ｍ以上、例えば５０cmピッチ位で両部材を固着してしまうと、温度上昇と下降に伴う伸縮のくり返しにより支柱外材３が変形するおそれがある。
【００１６】
上記支柱外材３としては、より具体的には、熱可塑性のプラスチック材料とセルロース系の破砕物から成る木粉を成形素材として中空樹脂成形材を押出し成形して得られるものである。ここで、成形素材の５５重量％は、平均粒径２０メッシュ以下で真比重が１．４、嵩比重が０．２の木粉（水分を４重量％含む）と木酸ガスの中和剤となるアンモニア、フェノール、メラミン等の尿素の４０％濃度の水溶液（木粉に対する尿素の割合１重量％）及び炭酸カルシウムから成り、成形素材の残り４５重量％はポリプロピレンとした。これらをミキサーで混練し、この混練された顆粒状ペレットを押出機により高圧で押出し、金型内で成形することにより中空樹脂成形材を得る。プラスチック材料としては、ポリプロピレンの他にポリエチレン、ＡＢＳ樹脂、ポリ塩化ビニル、ポリスチレンを用いることができる。
【００１７】
上述したように、ポール１の下端側においてのみ支柱芯材２と支柱外材３とを連結し、その連結手段としては止具７を用い、ポール１の下端部外周でのみ連結しているが、「下端側」というとき、支柱外材３の高さ（地上高さのみならず地中部分も含めた全高）の１０％程度の長さ範囲内であれば、上下方向の数個所にわたって支柱芯材２と支柱外材３とを連結してもよい。例えば、支柱外材３の高さ（全高）が４ｍある場合、その１０％である４０cmの長さ（下端から上方へ４０cmの範囲）以内であれば、図６に示すように、上下２〜３個所にわたって支柱芯材２と支柱外材３とを連結してもよい。
【００１８】
図７に示す他の実施例では、ポール１の下端側においてのみ支柱芯材２と支柱外材３とを固着してある。この実施例では、地中に支柱外材３の下端側を２００mm埋め込み、下端から５０mmの個所からボルト等の止具７を支柱芯材２に対してねじ込んでいる。支柱外材３の地上からの高さは、２４９５mmとし、支柱芯材２の同様の高さは２５１３mmとし、この支柱芯材２の上端に取付板８を固着し、この取付板８の上方に後述する照明器具１０が取付く。
【００１９】
図８は、図７のＣ−Ｃ線断面であり、支柱外材３の外周を４等分した位置に４ヶ所の凹部３Ａを形成し、これら凹部３Ａの底部において止具７で角パイプ状の鋼材から成る支柱芯材２と支柱外材３とを連結する。支柱外材３の凹部３Ａの間には断面コ字状の凸部３Ｂを形成してある。
【００２０】
図９は、図８の上端に位置する取付板８に取付く照明器具１０を示す。ポール１の上端から照明器具１３の少し上までは第１カバー１７がポール１から上方へ延びるように取付けられ、この第１カバー１７の上方には透光材料から成る第２カバー１８が取付けられる。第１カバー１７にはシルバーメタリック塗装を施してあり、第２カバー１８は乳白色のポリカーボネイト製の透光材料から形成してある。
【００２１】
図７ないし図９に示す実施例においても、支柱芯材２と支柱外材３とを連結する個所以外では、両者との間に隙間４を形成することは、先の実施例と同様である。また、ここでも連結個所である「下端側」とは、先の実施例と同様に支柱外材３の全高の１０％以内の範囲内をいう。この実施例においても、支柱外材３の表面温度がほぼ６０℃を超えたときの支柱外材３の伸びは支柱芯材２の伸びの１．５倍以上である。
【００２２】
図１０に示す実施例は、ポール１を２本使用し、この２本のポール１を所定間隔、この例では９２mmの間隔をあけて並べて立設し、これらのポール１の間に照明器具１３を設けたものである。この照明器具１３と２本のポール１とはボルト等の止具７で連結してあり、この止具７によってポール１を構成する支柱芯材２と支柱外材３の一側面のみの連結を図っている。図１０上右側のポール１に対して照明器具１３が２本の止具７によって取付けられているが、左側のポール１に対しても同様に２本の止具７によって取付けられている。
【００２３】
図１０に示す照明器具１３は、ランプ１４がグローソケット３０に装着され、このグローソケット３０は安定器３１が収められたステンレス製のボックス３２に取付けられ、このボックス３２の両側面が止具７により２本のポール１に取付けられている。また、ランプ１４にはグローブ３３が取付けられている。
【００２４】
前記２本のポール１は、それぞれの支柱芯材２が下方へ延出し（延出分５００mm）、下端にアンカープレート５を固着してある。また、２本の支柱外材３の下端には、連結プレート９を取付けるとともに、スポンジゴム３４を各支柱芯材２と支柱外材３との間に装着してある。
【００２５】
図１１は、図１０のＤ−Ｄ線断面図であり、２本のポール１のそれぞれの支柱芯材２の相手方を向いた一側面が支柱外材３の一側面の内面に接していて、この接触面において、照明器具１３の取付個所で止具７を用いて支柱芯材２と支柱外材３とが連結されている。このポール１の全高は２７００mmあり、上下の止具７間の長さは約２００mmである。また、支柱外材３の全高は２２００mmであり、その１割に相当する２２０mmの長さ範囲内で止具７を用いて支柱芯材２と支柱外材３との連結を図っているので、両者の線膨張係数の差による不都合は、この連結個所からは生じない。上下方向にわたって２００mm間隔で３ヶ所以上の連結個所を設けると、支柱芯材２と支柱外材３との線膨張係数の差によっては、支柱外材３が変形するおそれがある。また、支柱芯材２は支柱外材３で覆われ、連結個所を除く両部材間に隙間４を形成してある。そして、支柱外材３の表面温度がほぼ６０℃を超えたときの支柱外材３の伸びは支柱芯材２の伸びの１．５倍以上であることは先に説明した実施例と同様である。
【００２６】
前記支柱外材３は、この実施例では、横断面形状において９０×４３（mm）の大きさを有し、厚さは５mm、短辺（４３mm）側から内方へ突条部３Ｃを形成してあるものである。この突条部３Ｃの幅は７mm、突出長さは９mmとした。この突条部３Ｃと支柱芯材２との間の隙間は１mmとしてある。前記支柱芯材２の横断面形状における大きさは、６０×３０（mm）で、厚さは２mmの鋼材から成る。
【００２７】
支柱芯材２としては、鋼材（ＳＴ７５）を用い、支柱外材３としては、表面温度がほぼ６０℃を超えたときの伸びが支柱芯材２の伸びの１．５倍以上ある複合木材から成るものを用いて図１０及び図１１に示すようなポール１を２本備えた照明装置を製作した。各ポール１の上端には、雨水が内部に浸入しないように天蓋３５を取付け、これにより支柱芯材２の錆の発生を防止することができる。複合木材から成る支柱外材３は、耐水性に優れるとともに、木材に比べて寸法安定性も高くかつ曲げ強度も高い。さらに、木粉を半分以上混入してあるため紫外線にも強く、通常のプラスチック材料単体から成形されたもののように紫外線の光により劣化することもない。したがって、支柱外材３は、鋼材から成る支柱芯材２の保護カバーとしての機能も果し、プラスチック材料を含む複合木材から成る支柱外材３単独で耐候性、耐水性等のエクステリア材料としての適性を備えているが、２ｍ以上の地上高さに構成されたポール１に用いるときに、強風に対しての強度が十分ではないので、強度面において鋼材から成る支柱芯材２が補強している。
【００２８】
温度上昇による支柱外材３の伸びを、以下のようなサンプル１〜４を製作して実験してみた。
＜サンプル１＞
支柱外材３…木粉（比重０．２）５５重量％にポリプロピレン粉末（比重０．９）４５重量％を混ぜ合わせて押出成形して、厚み５．５mmの中空正方角柱（一辺を１００mmとした）を形成した。
支柱芯材２…厚さ３．２mmの中空正方角柱の鋼材（ＳＴ）を用い、これを支柱外材３の内周面との間にわずかの隙間が生ずるように挿入した。
ポール１としての全長を１４９８mmに形成し、一側面の両端に４９mmずつ内側に入った個所と、これら２点間を２００mmの等間隔で７等分した個所の合計８個所において支柱外材３と支柱芯材３とをビス止めした。他の３面も夫々８個所でビス止めした。
【００２９】
＜サンプル２＞
サンプル１と同様のポール１を形成し、ビス止め個所を、一端から２５０mmの個所のみとした。
【００３０】
＜サンプル３＞
サンプル１と同様の支柱芯材２と支柱外材３とでポール１を形成し、このポール１の長さを９９８mmとした。このポール１の両端から９９mmの個所と、これら２点間を２００mm間隔で４等分し、一側面で５個所のビス止めを行った。
【００３１】
＜サンプル４＞
サンプル３と同様であるが、ビス止め個所を一端から５０mmの個所（４面）のみとした。
【００３２】
サンプル１，２については、一辺が１００mmの正方角柱の一側面のみを８０℃に加熱したとき、支柱外材３の全長は、２mm伸びて１５００mmとなった。内側の支柱芯材２の伸びは、おそらく０．５mm未満であり、今回は計測不能であった。加熱された一側面の両隣の面も一面では１５００mm、他面では１４９９mmであった。このような加熱を冷却後再び繰り返し、２０回行ったところ、サンプル１では中央部分のビス止め個所にわずかな亀裂が認められた。サンプル２では、ビス止め個所に変化は認められなかった。
【００３３】
サンプル３，４については、ポール１全体をオーブンに投入して全体を６０℃に加熱した。支柱外材３の４面は、１０００．５mm、１００１．５mm、１００１．５mm、１００１mmにそれぞれ伸びた。サンプル３，４において２５回加熱を繰り返したところビス止め２個所でわずかな亀裂が認められた。サンプル４では、ビス止め個所に変化は認められなかった。
【００３４】
【発明の効果】
以上説明したように、この発明は、２ｍ以上の地上高さで、複合木材から成る支柱外材の中へ鋼材から成る支柱芯材を挿入してポールとしたとき、ポール下端側においてのみ両部材を連結するため、夏のシーズン中に街路灯のポールが高温となって支柱外材が支柱芯材よりも伸びてしまうという現象を多数回繰り返しても連結個所で支柱外材が変形したり、亀裂が入ったりする等の恐れはなくなる。また、強度的にも内部の鋼材から成る支柱芯材が十分な強度を有し、支柱外材の破損を防止することができる。さらに、デザイン的にも支柱外材は自由度が大きく、着色や形状も制約が少ない。
【００３５】
また、支柱外材の温度上昇と下降に伴う伸縮は、連結個所を除く両部材（支柱外材と支柱芯材）間に形成された隙間により吸収される。
【００３６】
さらに、この発明は、地中に固定された鋼材から成るパイプ状の支柱芯材とプラスチック材料を含む複合木材から成る支柱外材とから街路灯等のように２ｍ以上の地上高さを有するポールを構成し、このポールを所定間隔をあけて２本立設し、これら２本のポール間に照明器具を取付けた照明装置において、支柱外材を熱可塑性のプラスチック材料とセルロース系の破砕物からなる木粉を成形素材として中空樹脂成形材を押出し成形して得られたもので構成し、照明器具と２本のポールとをボルト等の止具で連結し、この止具で各ポールの支柱芯材及び支柱外材の一側面のみの連結を図り、支柱芯材を支柱外材で覆って連結個所を除く両部材間に隙間を形成して互いにフリーとし、前記支柱外材の表面温度が６０℃を超えたときの支柱外材の伸びは支柱芯材の伸びの１．５倍以上としたので、上述したような支柱外材の変形等が防止されるとともに、デザイン上もユニークなものとなる。
【図面の簡単な説明】
【図１】この発明の好適な実施例を示す下端側の正面図。
【図２】図１のＡ−Ａ線断面図。
【図３】図１の上側の照明部分を示す一部断面図。
【図４】図３のＢ−Ｂ線断面図。
【図５】地中埋込部分の変形例を示す正面図。
【図６】連結個所を増やした例を示す正面図。
【図７】他の実施例を示す下側部分の一部断面図。
【図８】図７のＣ−Ｃ線断面図。
【図９】図７の上側部分の断面図。
【図１０】さらに別の実施例を示す一部断面の正面図。
【図１１】図１０のＤ−Ｄ線断面図。
【符号の説明】
１    ポール
２    支柱芯材
３    支柱外材
４    隙間
７    止具
１０  照明器具
１１  取付用脚部
２０  連結具
【図１】
0004203919.tif 000002
【図２】
0004203919.tif 000003
【図３】
0004203919.tif 000004
【図４】
0004203919.tif 000005
【図５】
0004203919.tif 000006
【図６】
0004203919.tif 000007
【図７】
0004203919.tif 000008
【図８】
0004203919.tif 000009
【図９】
0004203919.tif 000010
【図１０】
0004203919.tif 000011
【図１１】
0004203919.tif 000012